(57)【要約】      （修正有）【課題】防災避難キャビネットを提供する。【解決手段】防災避難キャビネットは、キャビネット体１０、防熱構造２０、強化構造３０を有し、キャビネット体１０は複数の鋼板１１、サポート鋼板１６が結合して形成され、収納空間１２を形成し、サポート鋼板１６の片側には開口位置１３、開口位置１３に枢設されるドアパネル１４が設置され、防熱構造２０は各鋼板１１及びサポート鋼板１６内側面に設置され、強化構造３０は各鋼板１１と防熱構造２０の間に設置され、及びサポート鋼板１６と防熱構造２０の間に設置され、緊急避難空間を形成し、地震或いは事故や災害の発生時、使用者は開口位置１３からキャビネット体１０に入り、ドアパネル１４を閉めて封鎖空間を形成し、身体の安全を効果的に保障し、地震或いは事故や災害時に救助される確率を高めることができる。【選択図】図２
0003219122.tif 000002
【実用新案登録請求の範囲】
【請求項１】
防災避難キャビネットであって、キャビネット体、防熱構造、強化構造を有し、
前記キャビネット体は、複数の鋼板及びサポート鋼板が結合して形成され、収納空間を形成し、前記サポート鋼板の片側には、開口位置及びドアパネルを設置し、前記ドアパネルは前記開口位置に枢設し、
前記防熱構造は、前記各鋼板及び前記サポート鋼板内側面に設置され、
前記強化構造は、前記各鋼板と前記防熱構造の間に設置し、しかも前記強化構造は、前記サポート鋼板と前記防熱構造の間に設置されることを特徴とする、
防災避難キャビネット。
【請求項２】
前記ドアパネルは、鋼板材料により構成され、前記ドアパネルの内側面には、前記防熱構造を設置し、前記ドアパネルと前記防熱構造の間には、強化構造を設置することを特徴とする請求項１に記載の防災避難キャビネット。
【請求項３】
前記ドアパネルは、第一ラッチ及び第二ラッチを有し、前記第一ラッチは、前記ドアパネルの外側面に設置され、前記第二ラッチは、前記ドアパネルの内側面に設置されることを特徴とする請求項１に記載の防災避難キャビネット。
【請求項４】
前記防災避難キャビネットは救難要請装置をさらに有し、前記救難要請装置は、前記収納空間に設置され、前記救難要請装置はハンドベルであることを特徴とする請求項１に記載の防災避難キャビネット。
【請求項５】
前記防災避難キャビネットは、空気装置をさらに有し、前記空気装置は、空気吸入器、空気ボンベ及び空気マスクを有し、前記空気吸入器は、前記キャビネット体外部の空気を吸入して前記空気ボンベに溜め、前記空気マスクと前記空気ボンベとは連通し、前記空気ボンベは空気を前記空気マスクに提供し、前記空気吸入器は、スイングレバー、吸気部、インプット管及びアウトプット管を有し、前記スイングレバーと前記吸気部とは連結し、前記吸気部と前記インプット管及び前記アウトプット管とは連通し、前記アウトプット管と前記空気ボンベとは連通し、前記スイングレバーを回して、前記キャビネット体の外部空気を、前記インプット管を通して、前記吸気部中に吸入し、前記吸気部は、外部空気を前記アウトプット管に送り、前記アウトプット管より、外部空気を前記空気ボンベに溜めることを特徴とする請求項１に記載の防災避難キャビネット。
【考案の詳細な説明】
【技術分野】
【０００１】
本考案は避難施設に関し、特に地震或いは事故や災害の発生時に、緊急避難と安全確保を提供できる防災避難キャビネットに関する。
【背景技術】
【０００２】
近年、世界各地では地震が頻発している。
日本、台湾、アメリカ、インド等多くの国が地震断層帯上にあり、これら国々はしばしば地震の影響を受け、多くの被害が発生している。
そのため、地震の前、或いは地震発生時に、迅速に避難するよう人々に通知し、或いは素早い保護を提供し、地震による損害を抑えられるよう、各国は地震関連の避難設備の開発に力を入れている。
【０００３】
しかし、地震発生時には、往往にしてわずか数秒から数十秒の反応時間しかない。
そのため、開けた場所に避難することができなかった場合には、室内にいる人は堅固な家具やテーブルの下に入り、或いは柱のそば等に素早く移動するよう、専門家は呼びかけている。
しかし、堅固な家具やテーブルの下、或いは柱のそばも開放空間である。
もし、強震に襲われ、家屋が倒壊する等の状況が発生した場合、堅固な家具やテーブルの下に入り、或いは柱のそばに身を寄せていたとしても、真の避難効果を提供することはできない。
【考案の概要】
【考案が解決しようとする課題】
【０００４】
前記先行技術には、強震に襲われ、家屋が倒壊する等の状況が発生した場合、堅固な家具やテーブルの下に入り、或いは柱のそばに身を寄せていたとしても、真の避難効果を提供することはできないという欠点がある。
【課題を解決するための手段】
【０００５】
本考案は地震発生時に、使用者がキャビネット体内に避難でき、キャビネット体内の強化構造と防熱構造により、地震或いは事故や災害の被害を受けないよう使用者を保護し、安全確保に有効で、救助の機会を高めることができる防災避難キャビネットに関する。
【０００６】
本考案による防災避難キャビネットは、キャビネット体、防熱構造、強化構造を有する。
該キャビネット体は、複数の鋼板及びサポート鋼板が結合して形成され、収納空間を形成し、サポート鋼板の片側には、開口位置及びドアパネルを設置し、ドアパネルは、開口位置に枢設される。
該防熱構造は、各鋼板及びサポート鋼板内側面に設置される。
該強化構造は、各鋼板と防熱構造の間に設置され、しかも該強化構造は、サポート鋼板と防熱構造の間に設置される。
【０００７】
本考案の実施形態において、該ドアパネルは、第一ラッチ及び第二ラッチを有し、該第一ラッチは、ドアパネルの外側面に設置され、該第二ラッチは、ドアパネルの内側面に設置される。
【０００８】
本考案の実施形態において、本考案は救難要請装置をさらに有し、収納空間に設置される。
該救難要請装置は、ハンドベルである。
【０００９】
本考案の実施形態において、本考案は空気装置をさらに有し、該収納空間に設置される。
【００１０】
本考案のキャビネット体は、一般家庭、ホテルの客室或いは学校に設置され、平常時には、洋服ダンス或いは収納ダンスとして使用して一般の家具の一つとでき、設置のために無駄にスペースを占拠することはない。
地震或いは事故や災害が発生した時には、使用者は、本考案の防災避難キャビネットのキャビネット体内に避難でき、キャビネット体内の強化構造と防熱構造により、地震或いは事故や災害の被害を受けないよう使用者を保護し、使用者の損傷を減免し、こうして身体の安全を効果的に保障し、救助の機会を高めることができる。
【００１１】
さらに、本考案の鋼板、サポート鋼板と強化構造は、キャビネット体の構造強度を強化でき、外在の要因によるキャビネット体の変形を効果的に防止でき、キャビネット体内部の使用者の安全を確保し、二次的傷害の影響を回避でき、使用者の救助される機会を高めることができる。
【００１２】
また、本考案の防熱構造能は、外部の熱の、キャビネット体内部への影響を効果的に防止でき、地震に伴い火災が発生しても、キャビネット体内部の使用者の安全を確保でき、二次的傷害の影響を回避でき、使用者の救助される機会を高めることができる。
【００１３】
使用者はキャビネット体内に入った後は、第二ラッチによりドアパネルをロックし、使用者は封鎖されたキャビネット体内に確実に隠れられ、地震で揺れても、ドアパネルがオープン状態となり、キャビネット体が開放空間となることを防止できる。このため使用者が外部物件により被害を受ける恐れはない。
【００１４】
本考案の救難要請装置は、ベル音を発するため、災難発生後には捜索人員がベル音を頼りに、本考案の防災避難キャビネットを迅速に見つけることができ、使用者は素早い救援を受けることができる。
【００１５】
使用者がキャビネット体内に隠れている時には、空気装置により、使用者は正常な呼吸を維持できる。このため、封鎖空間の空気不足による使用者の窒息を回避して救援を待てる時間を延長できる。
【図面の簡単な説明】
【００１６】
【図１】本考案の立体外観模式図である。
【図２】本考案のドアパネル開放状態の立体模式図である。
【図３】本考案のドアパネル開放状態の実施形態前視図であり、収納空間に救難要請装置及び空気装置が設置されている様子を示す。
【図４】本考案の実施形態模式図（一）であり、使用者がキャビネット体の収納空間に避難する様子を示す。
【図５】本考案の実施形態模式図（二）であり、使用者がキャビネット体中で救難要請装置及び空気装置を使用する様子を示す。
【考案を実施するための形態】
【００１７】
（一実施形態）
本考案の中心思想を、以下に実施形態を用いて説明する。
実施形態における各種物件は、取り上げた説明の比率に適したもので、実際の物件の比率に基づくものではないことを、ここに明記する。
【００１８】
図１〜図５に示す通り、本考案による防災避難キャビネットは、キャビネット体１０、防熱構造２０、強化構造３０、救難要請装置４０、空気装置５０を有する。
キャビネット体１０は、複数の鋼板１１及びサポート鋼板１６が結合して形成され、収納空間１２を形成する。
サポート鋼板１６の片側には、開口位置１３及びドアパネル１４を設置する。
ドアパネル１４は、開口位置１３に枢設され、ドアパネル１４は、鋼板材料により構成される。
これにより、開口位置１３の片側には、サポート鋼板１６が設置され、キャビネット体１０の構造完全性を高め、構造強度を向上させることができる。
【００１９】
さらに、キャビネット体１０の収納空間１２中には、ハンガーパイプ１５を設置する。
ハンガーパイプ１５は、キャビネット体１０の横方向に相対して設置される。
ハンガーパイプ１５には、衣服１を掛けることができる（図３参照）。
これにより、キャビネット体１０は平常時には、洋服ダンス或いは収納ダンスとして使用して一般の家具の一つとでき、設置のために無駄にスペースを占拠することはない。
【００２０】
また、ドアパネル１４は、第一ラッチ１４１及び第二ラッチ１４２を有する。
第一ラッチ１４１は、ドアパネル１４の外側面に設置され、第一ラッチ１４１は、キャビネット体１０の外部に向かい、第二ラッチ１４２は、ドアパネル１４の内側面に設置され、第二ラッチ１４２は、キャビネット体１０の収納空間１２に向かう。
そのため、平時にキャビネット体１０を使用しない時には、使用者２は、第一ラッチ１４１を通してドアパネル１４を閉め、開口位置１３を封鎖することができる。
使用者２がキャビネット体１０を使用する時には、第一ラッチ１４１により、ドアパネル１４を開き、開口位置１３から収納空間１２に入り、第二ラッチ１４２を用いて、ドアパネル１４をキャビネット体１０にロックし、開口位置１３をクローズする。
これにより、キャビネット体１０は、封鎖空間を形成する。
第二ラッチ１４２により、ドアパネル１４をキャビネット体１０にロックすることで、外力に押され、開いてしまうことを回避できる。
【００２１】
防熱構造２０は、各鋼板１１の内側面、サポート鋼板１６の内側面及びドアパネル１４の内側面に設置される。
防熱構造２０は、防火材質により製造される。
防火材質は、石膏ボード、木質系セメント板、耐燃合板、耐燃ファイバー板等であるが、本考案はこれに限定されない。
【００２２】
強化構造３０は、各鋼板１１と防熱構造２０の間に設置され、サポート鋼板１６と防熱構造２０の間に設置され、及びドアパネル１４と防熱構造２０の間に設置される。
本考案の実施形態中では、強化構造３０は、棒鋼３１である。
図２に示す通り、各鋼板１１と防熱構造２０の間には、２個の棒鋼３１を設置し、２個の棒鋼３１は、キャビネット体１０の直立方向に相対して間隔を開けて設置される。
サポート鋼板１６と防熱構造２０の間には、２個の棒鋼３１を設置し、２個の棒鋼３１は、キャビネット体１０の直立方向に相対して間隔を開けて設置される。
ドアパネル１４と防熱構造２０の間には、２個の棒鋼３１を設置し、２個の棒鋼３１は、キャビネット体１０の直立方向に相対して間隔を開けて設置される。
【００２３】
救難要請装置４０は、収納空間１２に設置される。
本考案の実施形態中では、救難要請装置４０はハンドベルである。
救難要請装置４０は、防熱構造２０の側面に掛けて設置され、使用者２が手動で振る方式によって、救難要請装置４０はベル音を発する。
【００２４】
空気装置５０は、収納空間１２に設置される。
空気装置５０は、空気吸入器５１、空気ボンベ５２及び空気マスク５３を有する。
空気吸入器５１は、キャビネット体１０外部から空気を吸入し空気ボンベ５２にため、空気マスク５３と空気ボンベ５２とは連通する。
空気ボンベ５２は、外部空気を空気マスク５３に提供でき、使用者２は空気マスク５３を着用して使用できる。
【００２５】
さらに、空気吸入器５１は、スイングレバー５１１、吸気部５１２、インプット管５１３及びアウトプット管５１４を有する。
スイングレバー５１１と吸気部５１２とは連結し、吸気部５１２とインプット管５１３及びアウトプット管５１４とは連通する。
アウトプット管５１４と空気ボンベ５２とは連通し、インプット管５１３の一端は、サポート鋼板１６とドアパネル１４の間の隙間に置く。
スイングレバー５１１を利用して、使用者２は手動回転方式で、キャビネット体１０の外部空気を、インプット管５１３を通して、吸気部５１２中に吸入し、吸気部５１２は、外部空気をアウトプット管５１４に送り、アウトプット管５１４により、外部空気を空気ボンベ５２に溜める。
これにより、使用者２が空気マスク５３を着用すると、空気ボンベ５２中に溜められた外部空気を吸うことができる。
【００２６】
図３及び図４に示す通り、本考案のキャビネット体１０は、一般家庭、ホテルの客室或いは学校に設置される。
キャビネット体１０内のハンガーパイプ１５に、使用者２は衣服１を掛けることができる。これにより平常時には、洋服ダンス或いは収納ダンスとして使用して一般の家具の一つとでき、設置のために無駄にスペースを占拠することはない。
【００２７】
地震或いは事故や災害が発生した時には、使用者２は、第一ラッチ１４１を通してキャビネット体１０を開き、開口位置１３からキャビネット体１０の収納空間１２に入り、第二ラッチ１４２を通して、ドアパネル１４をキャビネット体１０にロックし、キャビネット体１０内に避難し、使用者２は封鎖されたキャビネット体１０内に確実に隠れることができる。
これにより、地震で揺れることで、ドアパネル１４が開いてしまうことを回避し、防護効果を高めることができる。
【００２８】
しかも、キャビネット体１０内の鋼板１１、サポート鋼板１６と強化構造２０は、キャビネット体１０の構造強度を強化でき、及び防熱構造３０により、キャビネット体１０内部は火災の影響を免れられる。これによって地震或いは事故や災害による負傷から使用者２を保護し、使用者２の損傷を減免することができる。
これにより、身体の安全を効果的に保障し、救助の機会を高めることができる。
【００２９】
図４及び図５に示す通り、使用者２がキャビネット体１０内に避難すると、救難要請装置４０を手で振ってベル音を発することができる。
これにより、地震或いは事故や災害の発生後、捜索人員は救難要請装置４０が発するベル音に従い、使用者２が隠れている位置を迅速に発見し、使用者２は迅速に救援を得ることができる。
【００３０】
さらに、使用者２がキャビネット体１０内に隠れている時には、空気装置５０により、手動方式で、キャビネット体１０の外部空気を空気ボンベ５２中に溜め、使用者２は空気マスク５３を装着して外部空気を吸入する。
こうして、使用者２は、正常な呼吸を維持でき、キャビネット体１０の封鎖空間で空気不足が発生し、使用者２が窒息することを回避でき、こうして救援までの時間を延長することができる。
【００３１】
また、本考案による防災避難キャビネットの救難要請装置４０及び空気装置５０は共に電力使用を必要としないため、地震或いは事故や災害発生で停電が起きたとしても、救難要請装置４０及び空気装置５０の作動には支障がない。
これにより、使用時の利便性、及び保護と救援効果を効果的に高めることができる。
【００３２】
前述した本考案の実施形態は本考案を限定するものではなく、よって、本考案により保護される範囲は後述される実用新案登録請求の範囲を基準とする。
【符号の説明】
【００３３】
１      衣服
２      使用者
１０    キャビネット体
１１    鋼板
１２    収納空間
１３    開口位置
１４    ドアパネル
１４１  第一ラッチ
１４２  第二ラッチ
１５    ハンガーパイプ
１６    サポート鋼板
２０    防熱構造
３０    強化構造
３１    棒鋼
４０    救難要請装置
５０    空気装置
５１    空気吸入器
５１１  スイングレバー
５１２  吸気部
５１３  インプット管
５１４  アウトプット管
５２    空気ボンベ
５３    空気マスク
【図１】
0003219122.tif 000003
【図２】
0003219122.tif 000004
【図３】
0003219122.tif 000005
【図４】
0003219122.tif 000006
【図５】
0003219122.tif 000007